(57)【要約】【課題】ＣＤＭＡ方式を含む２以上の通信方式に対応したフロントエンドモジュール、及び、無線機器を提供する。【解決手段】第１の通信方式は、符号分割多元接続（ＣＤＭＡ）方式である。分配部１０は、第１の入出力端１１がアンテナ８に導かれ、第１の入出力端１１に供給された第１の通信方式の受信信号を第１の受信端１３に常時出力し、第１の入出力端１１に供給された第２の通信方式の受信信号を第２の入出力端１２に出力するとともに、第２の入出力端１２に供給された第１の通信方式の送信信号及び第２の通信方式の送信信号を第１の入出力端１１に出力する。【選択図】      図１
2004304471.tif 000002
【特許請求の範囲】
【請求項１】
分配部と、切換手段とを含み、少なくとも２つの通信方式の信号を送受信できるフロントエンドモジュールであって、
第１の通信方式は、符号分割多元接続（ＣＤＭＡ）方式であり、前記第１の通信方式の受信信号の周波数帯域が、前記第１の通信方式の送信信号、第２の通信方式の受信信号及び前記第２の通信方式の送信信号の周波数帯域とは異なり、
前記分配部は、第１の入出力端と、第２の入出力端と、第１の受信端とを含み、前記第１の入出力端がアンテナに導かれ、前記第１の入出力端に供給された前記第１の通信方式の受信信号を前記第１の受信端に常時出力し、前記第１の入出力端に供給された前記第２の通信方式の受信信号を前記第２の入出力端に出力するとともに、前記第２の入出力端に供給された前記第１の通信方式の送信信号及び前記第２の通信方式の送信信号を前記第１の入出力端に出力し、
前記切換手段は、前記第２の入出力端に導かれ、前記第１の通信方式の送信信号、第２の通信方式の受信信号及び前記第２の通信方式の送信信号を切換える
フロントエンドモジュール。
【請求項２】
請求項１に記載されたフロントエンドモジュールであって、
前記分配部は、第１の位相回路と、第２の位相回路とを含み、前記第１の位相回路及び前記第２の位相回路の一端は、前記第１の入出力端に導かれ、
前記第１の位相回路の他端は、前記第１の受信端に導かれ、前記一端からみたインピーダンスが、前記第２の通信方式の受信信号、前記第１の通信方式の送信信号、及び、前記第２の通信方式の送信信号の周波数帯域で実質的に無限大であり、前記第１の通信方式の受信信号の周波数帯域で整合されており、
前記第２の位相回路の他端は、前記第２の入出力端に導かれ、前記一端からみたインピーダンスが、前記第１の通信方式の受信信号の周波数帯域で実質的に無限大であり、前記第２の通信方式の受信信号、前記第１の通信方式の送信信号、及び、前記第２の通信方式の送信信号の周波数帯域で整合されている
フロントエンドモジュール。
【請求項３】
請求項１又は２に記載されたフロントエンドモジュールであって、前記第２の通信方式は、時分割多元接続（ＴＤＭＡ）方式であるフロントエンドモジュール。
【請求項４】
請求項１乃至３の何れかに記載されたフロントエンドモジュールであって、更に、分波回路を含み、
前記分波回路は、アンテナ接続端と、第３の入出力端と、第４の入出力端とを含み、前記第３の入出力端が前記第１の入出力端に接続され、
前記第１の通信方式及び前記第２の通信方式の送受信信号を前記アンテナ接続端−前記第３の入出力端間に通過させるとともに、第３の通信方式の送受信信号を前記アンテナ接続端−前記第４の入出力端間に通過させる
フロントエンドモジュール。
【請求項５】
請求項１乃至４の何れかに記載されたフロントエンドモジュールであって、
第４の通信方式の送受信信号は、周波数帯域が、前記第１の通信方式の受信信号とは異なり、
前記分配部は、前記第１の入出力端に供給された前記第４の通信方式の受信信号を前記第２の入出力端に出力するとともに、前記第２の入出力端に供給された前記第４の通信方式の送信信号を前記第１の入出力端に出力する
フロントエンドモジュール。
【請求項６】
フロントエンドモジュールと、送受信器とを含む無線機器であって、
前記フロントエンドモジュールは、請求項１乃至５の何れかに記載されたものでなり、
前記送受信器は、前記フロントエンドモジュールに接続されている
無線機器。
【発明の詳細な説明】
【０００１】
【発明の属する技術分野】
本発明は、フロントエンドモジュール、及び、無線機器に関する。特に、２つ以上の通信方式に適応した無線機器、及び、これに用いられるフロントエンドモジュールに関する。
【０００２】
【従来の技術】
２つの携帯電話システムに対応する携帯電話端末機（以下、デュアルバンドシステムと称する）や、３つの携帯電話システムに対応する携帯電話端末機（以下、トリプルバンドシステムと称する）が知られている。
【０００３】
例えば、特許文献１は、欧州で用いられているデュアルバンドシステムのフロントエンドモジュールを開示している。特許文献１に開示されたフロントエンドモジュールは、９００ＭＨｚ帯のＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）方式の送受信信号と、１．８ＧＨｚ帯のＤＣＳ（Ｄｉｇｉｔａｌ  Ｃｅｌｌｕｌａｒ  Ｓｙｓｔｅｍ）方式の送受信信号とをスイッチで切換えることにより、デュアルバンドシステムを実現している。
【０００４】
また、特許文献２は、トリプルバンドシステムに用いられるフロントエンドモジュールを開示している。特許文献２に開示されたフロントエンドモジュールは、ＧＳＭと、ＤＣＳと、１．９ＧＨｚ帯のＰＣＳ（Ｐｅｒｓｏｎａｌ  Ｃｏｍｍｕｎｉｃａｔｉｏｎｓ  Ｓｅｒｖｉｃｅ）とをスイッチで切換えることにより、トリプルバンドシステムを実現している。
【０００５】
ところで、近年、通話だけでなく、動画等の大規模データの高速通信を実現すべく、ＧＳＭ、ＤＣＳ、ＰＣＳ等の時分割多元接続方式（Ｔｉｍｅ  Ｄｉｖｉｓｉｏｎ  Ｍｕｌｔｉｐｌｅ  Ａｃｃｅｓｓ  以下、ＴＤＭＡ方式と称する。）とは異なる符号分割多元接続方式（Ｃｏｄｅ  Ｄｉｖｉｓｉｏｎ  Ｍｕｌｔｉｐｌｅ  Ａｃｃｅｓｓ  以下、ＣＤＭＡ方式と称する。）の携帯電話システムの実用化が始まっている。現在、ＣＤＭＡ方式のうち、Ｗ−ＣＤＭＡ（Ｗｉｄｅ  ｂａｎｄ  Ｃｏｄｅ  Ｄｉｖｉｓｉｏｎ  Ｍｕｌｔｉｐｌｅ  Ａｃｃｅｓｓ）方式が最も注目されている。
【０００６】
従来のＴＤＭＡ方式においては、送受信信号が時分割されていたので、特許文献１、特許文献２に開示されているように、スイッチを用いて所定の時間タイミングで切換えることにより、デュアルバンドシステム、トリプルバンドシステムを実現することができた。
【０００７】
しかし、Ｗ−ＣＤＭＡ方式においては、送受信信号が時分割ではなく、コード化されているので、スイッチを用いて所定の時間タイミングで切換えても、デュアルバンドシステム、トリプルバンドシステムを実現できない。
【０００８】
このため、現在、Ｗ−ＣＤＭＡ方式を用いたデュアルバンドシステム、トリプルバンドシステム、４つの携帯電話システムに対応する機能を持った携帯電話端末機（以下、クワッドハンドシステムと称する）は実現されていない。
【０００９】
更に、特許文献１、及び、特許文献２に開示されたフロントエンドモジュールは、複数の携帯電話システムをスイッチで切換える構成であるから、同時に２つの携帯電話システムを使用することはできない。したがって、例えば、ひとつの携帯電話システムで通話をしながら、他の携帯電話システムでデータをダウンロードする等の機能は、発揮し得ない。
【００１０】
【特許文献１】
特開平１１−２２５０８８号  （第２−３頁、第１図）
【特許文献２】
特開２００１−２４４８４４号  （第２−３頁、第１図）
【００１１】
【発明が解決しようとする課題】
本発明の課題は、ＣＤＭＡ方式を含む２以上の通信方式に対応したフロントエンドモジュール、及び、無線機器を提供することである。
【００１２】
本発明のもう一つの課題は、ＣＤＭＡ方式の受信信号を常時受信し得るフロントエンドモジュール、及び、無線機器を提供することである。
【００１３】
【課題を解決するための手段】
上述した課題を解決するため、本発明に係るフロントエンドモジュールは、
分配部と、切換手段とを含み、少なくとも２つの通信方式の信号を送受信する。
【００１４】
第１の通信方式は、符号分割多元接続（ＣＤＭＡ）方式であり、第１の通信方式の受信信号の周波数帯域が、第１の通信方式の送信信号、第２の通信方式の受信信号及び第２の通信方式の送信信号の周波数帯域とは異なる。
【００１５】
分配部は、第１の入出力端と、第２の入出力端と、第１の受信端とを含み、第１の入出力端がアンテナに導かれ、第１の入出力端に供給された第１の通信方式の受信信号を第１の受信端に常時出力し、第１の入出力端に供給された第２の通信方式の受信信号を第２の入出力端に出力するとともに、第２の入出力端に供給された第１の通信方式の送信信号及び第２の通信方式の送信信号を第１の入出力端に出力する。
【００１６】
切換手段は、第２の入出力端に導かれ、第１の通信方式の送信信号、第２の通信方式の受信信号及び第２の通信方式の送信信号を切換える。
【００１７】
ここで、符号分割多元接続（ＣＤＭＡ）方式には、Ｗ−ＣＤＭＡ、ＣＤＭＡ２０００、ＣＤＭＡ−Ｏｎｅ、ＵＭＴＳ等が含まれる。また、第２の通信方式としては、例えば、ＧＳＭ、ＤＣＳ、ＰＣＳ等のＴＤＭＡ方式を挙げることができる。
【００１８】
上述した本発明に係るフロントエンドモジュールは、少なくとも２つの通信方式の信号を送受信できる。したがって、本発明に係るフロントエンドモジュールを用いることにより、デュアルバンドシステム、トリプルバンドシステム及びクワッドハンドシステムの携帯電話システム等を構成することができる。また、第１の通信方式は、符号分割多元接続（ＣＤＭＡ）方式であるから、高速通信を実現し得る。
【００１９】
本発明に係るフロントエンドモジュールは、分配部を含み、分配部は、第１の入出力端と、第２の入出力端と、第１の受信端とを含み、第１の入出力端がアンテナに導かれ、第１の入出力端に供給された第１の通信方式の受信信号を第１の受信端に常時出力し、第１の入出力端に供給された第２の通信方式の受信信号を第２の入出力端に出力するとともに、第２の入出力端に供給された第１の通信方式の送信信号及び第２の通信方式の送信信号を第１の入出力端に出力する。
【００２０】
ここで、第１の通信方式の受信信号の周波数帯域は、第１の通信方式の送信信号、第２の通信方式の受信信号及び第２の通信方式の送信信号の周波数帯域とは異なる。
【００２１】
このため、分配部は、第１の通信方式の受信信号の周波数帯域と、第１の通信方式の送信信号、第２の通信方式の受信信号及び第２の通信方式の送信信号の周波数帯域との違いを利用して、第１の入出力端に供給された第１の通信方式の受信信号を第１の受信端にのみ、常に出力し、第１の入出力端に供給された第２の通信方式の受信信号を第２の入出力端にのみ出力するとともに、第２の入出力端に供給された第１の通信方式の送信信号及び第２の通信方式の送信信号を第１の入出力端にのみ出力することができる。
【００２２】
本発明に係るフロントエンドモジュールは、切換手段を含む。切換手段は、第２の入出力端に導かれ、第１の通信方式の送信信号、第２の通信方式の受信信号及び第２の通信方式の送信信号を切換える。具体的には、切換手段は、供給された第１の通信方式の送信信号及び第２の通信方式の送信信号を第２の入出力端に出力する状態と、第２の入出力端に供給された第２の通信方式の受信信号を出力する状態とを切換える。
【００２３】
上述した構成により、本発明に係るフロントエンドモジュールは、符号分割多元接続（ＣＤＭＡ）方式の受信信号を常時受信しながら、ＣＤＭＡ方式の送信信号の送信、又は、ＣＤＭＡ方式以外の通信方式の送受信信号の送受信を行なうことができる。このため、本発明に係るフロントエンドモジュールによれば、画像データ、サウンドデータ等の大容量データをＣＤＭＡ方式でダウンロードしながら、ＣＤＭＡ方式以外の通信方式を用いて通話を行なうことが可能となる。また、ＣＤＭＡ方式でダウンロードしながら、ＣＤＭＡ方式の送信信号を送信することもできる。
【００２４】
更に、本発明に係るフロントエンドモジュールは、切換手段を用いて、ＣＤＭＡ方式の送信信号、及び、ＣＤＭＡ方式以外の通信方式の送受信信号を切換えているから、これらの信号のアイソレーションが確実に確保される。このため、例えば、ＣＤＭＡ方式の送信信号の周波数帯域とＣＤＭＡ方式以外の通信方式の送受信信号の周波数帯域とがオーバーラップしている場合でも、容易、かつ、確実に信号の送受信を行なうことができる。
【００２５】
本発明の他の特徴及びそれによる作用効果は、添付図面を参照し、実施例によって更に詳しく説明する。但し、添付図面は、単なる例示に過ぎない。
【００２６】
【発明の実施の形態】
図１は、本発明に係る無線機器を示すブロック図である。図１において、無線機器は、３つの携帯電話システムに対応する携帯電話端末機であり、アンテナ８と、本発明に係るフロントエンドモジュール１と、第１の送受信器１０１と、第２の送受信器１０２と、第３の送受信器１０３とを含む。
【００２７】
アンテナ８は、少なくとも３つの通信方式の信号を送受信できる。３つの通信方式としては、第１の通信方式を符号分割多元接続（ＣＤＭＡ）方式とするとともに、第２、第３の通信方式を時分割多元接続（ＴＤＭＡ）方式とすることが好ましい。
【００２８】
本実施例においては、第１の通信方式として、高周波数帯域のＷ−ＣＤＭＡ方式を用い、第２の通信方式として、高周波数帯域のＤＣＳ方式を用い、第３の通信方式として、低周波数帯域のＧＳＭ方式を用いている。
【００２９】
第１の通信方式であるＷ−ＣＤＭＡ方式は、受信信号の周波数帯域が、第１の通信方式の送信信号、第２の通信方式の受信信号及び第２の通信方式の送信信号の周波数帯域とは異なる。
【００３０】
すなわち、Ｗ−ＣＤＭＡ方式は、送信周波数帯域が１９２０ＭＨｚ〜１９８０ＭＨｚ、受信周波数帯域が２１１０ＭＨｚ〜２１７０ＭＨｚであり、ＤＣＳ方式は、送信周波数帯域が１７１０ＭＨｚ〜１７８５ＭＨｚ、受信周波数帯域が１８０５ＭＨｚ〜１８８０ＭＨｚであり、ＧＳＭ方式は、送信周波数帯域が８８０ＭＨｚ〜９１５ＭＨｚ、受信周波数帯域が９２５ＭＨｚ〜９６０ＭＨｚである。
【００３１】
図１において、第１の送受信器１０１は、Ｗ−ＣＤＭＡ方式の信号を送受信する機器であり、第２の送受信器１０２は、ＤＣＳ方式の信号を送受信する機器であり、第３の送受信器１０３は、ＧＳＭ方式の信号を送受信する機器である。
【００３２】
図１において、フロントエンドモジュール１は、無線機器のアンテナスイッチ部を構成するモジュールであり、分波回路４０と、切換回路５０と、分配部１０と、切換手段２０とを含む。
【００３３】
分波回路４０は、アンテナ接続端４１と、第３の入出力端と、第４の入出力端とを含み、高周波数帯域の第１の通信方式（ＣＤＭＡ方式）及び第２の通信方式（ＤＣＳ方式）と、低周波数帯域の第３の通信方式（ＧＳＭ方式）とを分離する機能を有する。アンテナ接続端４１は、アンテナ８に接続されている。
【００３４】
切換回路５０は、第３の通信方式（ＧＳＭ方式）の送信信号と受信信号とを切換える機能を有し、端５１が分波回路４０の第４の入出力端に導かれ、端５２、５３が第３の送受信器１０３に導かれている。
【００３５】
分配部１０は、第１の入出力端１１と、第２の入出力端１２と、第１の受信端１３とを含み、第１の入出力端１１が分波回路４０の第４の入出力端を介して、アンテナ８に導かれている。分配部１０は、例えば、位相遅延線、又は、ＬＣ回路である。位相遅延線は、例えば、マイクロストリップライン、ストリップラインで構成することができる。
【００３６】
切換手段２０は、第１の通信方式（ＣＤＭＡ方式）の送信信号、第２の通信方式（ＤＣＳ方式）の受信信号及び第２の通信方式の送信信号を切換える機能を有し、第２の入出力端１２に導かれる端と、送信端２１、２２と、第２の受信端２５とを含む。送信端２１が第１の送受信器１０１に導かれ、送信端２２及び第２の受信端２５が第２の送受信器１０２に導かれている。切換手段２０は、例えば、ＧａＡｓ等のトランジスタ、又は、ダイオードを用いて構成することができる。
【００３７】
以下、上述したフロントエンドモジュール１の動作を説明する。まず、受信時において、アンテナ８で受信された第１の通信方式（ＣＤＭＡ方式）、第２の通信方式（ＤＣＳ方式）、及び、第３の通信方式（ＧＳＭ方式）の受信信号は、分波回路４０に供給される。
【００３８】
分波回路４０において、第１の通信方式（ＣＤＭＡ方式）及び第２の通信方式（ＤＣＳ方式）の受信信号は、分配部１０の第１の入出力端１１にのみ供給される。第３の通信方式（ＧＳＭ方式）の受信信号は、切換回路５０にのみ供給される。切換回路５０において、第３の通信方式（ＧＳＭ方式）の受信信号は、切換回路５０の切換動作により、端５２から第３の送受信器１０３に出力される。
【００３９】
分配部１０において、第１の通信方式（ＣＤＭＡ方式）の受信信号は、第１の受信端１３から第１の送受信器１０１に常時出力される。ここで、常時出力とは、第１の通信方式（ＣＤＭＡ方式）の受信信号が供給されたときは、第２、第３の通信方式の送受信信号の有無に拘わらず、必ず出力されるという意味である。
【００４０】
第２の通信方式（ＤＣＳ方式）の受信信号は、第２の入出力端１２から切換手段２０に出力され、切換手段２０の切換動作により、第２の受信端２５から第２の送受信器１０２に出力される。
【００４１】
一方、送信時において、第１の通信方式（ＣＤＭＡ方式）の送信信号は、第１の送受信器１０１から切換手段２０の送信端２１供給され、第２の通信方式（ＤＣＳ方式）の送信信号は、第２の送受信器１０２から切換手段２０の送信端２２に供給される。
【００４２】
切換手段２０においては、その切換動作により、第１の通信方式（ＣＤＭＡ方式）の送信信号、及び、第２の通信方式（ＤＣＳ方式）の送信信号の一方のみが、分配部１０の第２の入出力端１２に供給される。分配部１０の入出力端１２に供給された送信信号は、第１の入出力端１１のみから出力される。
【００４３】
第３の通信方式（ＧＳＭ方式）の送信信号は、第３の送受信器１０３から切換回路５０の端５３に供給される。端５３に供給された第３の通信方式（ＧＳＭ方式）の送信信号は、切換回路５０の切換動作により、端５１から出力される。
【００４４】
分波回路４０においては、第１の入出力端１１に供給された第１の通信方式（ＣＤＭＡ方式）の送信信号、及び、第２の通信方式（ＤＣＳ方式）の送信信号、並びに、端５１に供給された第３の通信方式（ＧＳＭ方式）の送信信号をアンテナ８に出力する。
【００４５】
上述した本実施例に係るフロントエンドモジュールは、少なくとも２つの通信方式の信号を送受信できる。したがって、本実施例に係るフロントエンドモジュールを用いることにより、デュアルバンドシステム、トリプルバンドシステム及びクワッドハンドシステムの携帯電話システム等を構成することができる。また、第１の通信方式は、符号分割多元接続（ＣＤＭＡ）方式であるから、高速通信を実現し得る。
【００４６】
本実施例に係るフロントエンドモジュールは、分配部１０を含み、分配部１０は、第１の入出力端１１と、第２の入出力端１２と、第１の受信端１３とを含み、第１の入出力端１１がアンテナ８に導かれ、第１の入出力端１１に供給された第１の通信方式の受信信号を第１の受信端１３に常時出力し、第１の入出力端１１に供給された第２の通信方式の受信信号を第２の入出力端１２に出力するとともに、第２の入出力端１２に供給された第１の通信方式の送信信号及び第２の通信方式の送信信号を第１の入出力端１１に出力する。
【００４７】
ここで、第１の通信方式の受信信号の周波数帯域は、第１の通信方式の送信信号、第２の通信方式の受信信号及び第２の通信方式の送信信号の周波数帯域とは異なる。
【００４８】
このため、分配部１０は、第１の通信方式の受信信号の周波数帯域と、第１の通信方式の送信信号、第２の通信方式の受信信号及び第２の通信方式の送信信号の周波数帯域との違いを利用して、第１の入出力端１１に供給された第１の通信方式の受信信号を第１の受信端１３にのみ、常に出力し、第１の入出力端１１に供給された第２の通信方式の受信信号を第２の入出力端１２にのみ出力するとともに、第２の入出力端１２に供給された第１の通信方式の送信信号及び第２の通信方式の送信信号を第１の入出力端１１にのみ出力することができる。
【００４９】
本実施例に係るフロントエンドモジュールは、切換手段２０を含む。切換手段２０は、第２の入出力端１２に導かれ、第１の通信方式の送信信号、第２の通信方式の受信信号及び第２の通信方式の送信信号を切換える。具体的には、切換手段２０は、供給された第１の通信方式の送信信号及び第２の通信方式の送信信号を第２の入出力端１２に出力する状態と、第２の入出力端１２に供給された第２の通信方式の受信信号を出力する状態とを切換える。
【００５０】
上述した構成により、本実施例に係るフロントエンドモジュールは、符号分割多元接続（ＣＤＭＡ）方式の受信信号を常時受信しながら、ＣＤＭＡ方式の送信信号の送信、又は、ＣＤＭＡ方式以外の通信方式の送受信信号の送受信を行なうことができる。このため、本実施例に係るフロントエンドモジュールによれば、画像データ、サウンドデータ等の大容量データをＣＤＭＡ方式でダウンロードしながら、ＣＤＭＡ方式以外の通信方式を用いて通話を行なうことが可能となる。また、ＣＤＭＡ方式でダウンロードしながら、ＣＤＭＡ方式の送信信号を送信することもできる。
【００５１】
更に、本実施例に係るフロントエンドモジュールは、切換手段２０を用いて、ＣＤＭＡ方式の送信信号、及び、ＣＤＭＡ方式以外の通信方式の送受信信号を切換えているから、これらの信号のアイソレーションが確実に確保される。このため、例えば、ＣＤＭＡ方式の送信信号の周波数帯域とＣＤＭＡ方式以外の通信方式の送受信信号の周波数帯域とがオーバーラップしている場合でも、容易、かつ、確実に信号の送受信を行なうことができる。
【００５２】
図２は図１に示した本発明に係る無線機器の一部を更に詳細に示すブロック図である。図２において、フロントエンドモジュール１は、図１に示した構成に加えて、コンデンサ１２１と、バンドパスフィルタ１２２、２１２と、位相遅延線２１１、２２１、２５１と、ノッチ回路２２２と、ＳＡＷフィルタ２５２とを含み、多層基板を用いて、一体に構成されている。多層基板としては、例えば、セラミック多層基板、樹脂材料とセラミックス材料とからなるハイブリッド多層基板等を挙げることができる。
【００５３】
コンデンサ１２１及びバンドパスフィルタ１２２は、第１の受信端１３の前段に備えられている。位相遅延線２１１及びバンドパスフィルタ２１２は、送信端２１の前段に備えられている。位相遅延線２２１及びノッチ回路２２２は、送信端２２の前段に備えられている。位相遅延線２５１及びＳＡＷフィルタ２５２は、第２の受信端２５の前段に備えられている。
【００５４】
分配部１０は、第１の位相回路１４と、第２の位相回路１５と、第３の位相回路１６とを含む。第１の位相回路１４及び第２の位相回路１５の一端は、互いに接続され、第３の位相回路１６を介して、第１の入出力端１１に導かれている。以下、第１の位相回路１４及び第２の位相回路１５の一端を点Ａと称することがある。
【００５５】
第１の位相回路１４の他端は、第１の受信端１３に導かれ、点Ａからみたインピーダンスが、第２の通信方式の受信信号、第１の通信方式の送信信号、及び、第２の通信方式の送信信号の周波数帯域で実質的に無限大であり、第１の通信方式の受信信号の周波数帯域で整合されるように設定されている。
【００５６】
第２の位相回路１５の他端は、第２の入出力端１２に導かれ、点Ａからみたインピーダンスが、第１の通信方式の受信信号の周波数帯域で実質的に無限大であり、第２の通信方式の受信信号、第１の通信方式の送信信号、及び、第２の通信方式の送信信号の周波数帯域で整合されるように設定されている。
【００５７】
したがって、フロントエンドモジュール１は、分配部１０の機能により、第１の受信端１３と、第２の入出力端１２、送信端２１、２２及び第２の受信端２５とのアイソレーションを確保しつつ、第１の送受信器１０１及び第２の送受信器１０２とのインピーダンスの整合が可能なる。
【００５８】
具体的には、例えば、第１の送受信器１０１、及び、第２の送受信器１０２のインピーダンスが５０Ωである場合には、以下のように分配部１０の設定をすることができる。
【００５９】
まず、Ａ点から第１の受信端１３を見たインピーダンスについては、第１の通信方式（ＣＤＭＡ方式）の受信信号の周波数帯域で５０Ω、第１の通信方式（ＣＤＭＡ方式）の送信信号、及び、第２の通信方式（ＤＣＳ方式）の送受信信号の周波数帯域で、実質的に無限大となるようにする。本発明において、実質的に無限大という意味は、例えば、５０Ωで整合しているときは、その２倍以上の１００Ω以上であるという意味である。
【００６０】
また、Ａ点から、送信端２１、２２及び第２の受信端２５を見たインピーダンスについては、第１の通信方式（ＣＤＭＡ方式）の送信信号、及び、第２の通信方式（ＤＣＳ方式）の送受信信号の周波数帯域で５０Ω、第１の通信方式（ＣＤＭＡ方式）の受信信号の周波数帯域で実質的に無限大となるようにする。分配部１０のインピーダンスを設定するにあたっては、第３の位相回路１６、コンデンサ１２１、バンドパスフィルタ１２２、２１２、位相遅延線２１１、２２１、２５１、ノッチ回路２２２、及び、ＳＡＷフィルタ２５２の特性を用いて調整ができることは、いうまでもない。
【００６１】
また、図１、図２に示したフロントエンドモジュールは、分波回路４０を含むから、分配部１０において、低周波数帯域のＧＳＭ方式の信号を分離する必要がない。このため、分配部１０で広範囲の周波数帯域の信号を処理する必要がなくなるので、設計の容易化が図れるとともに、信号利得の劣化を回避することができる。
【００６２】
また、図１、図２に示したフロントエンドモジュールは、多層基板を用いて、分波回路４０、切換回路５０、分配部１０、切換手段２０、コンデンサ１２１、バンドパスフィルタ１２２、２１２、位相遅延線２１１、２２１、２５１、ノッチ回路２２２、及び、ＳＡＷフィルタ２５２を一体に構成している。このため、モジュールの小型化を図ることができる。また、多層基板で一体に構成することにより、実装も容易になる。
【００６３】
図３は本発明に係る無線機器の別の実施例を示すブロック図、図４、図５は図３に示した無線機器の電気回路図である。図３〜図５において、図１、図２に示した無線機器と同様の構成部分には、同一の参照符号を付す。
【００６４】
図３、図４において、本実施例に係る無線機器は、４つの携帯電話システムに対応する携帯電話端末機である。本実施例に係る無線機器は、図１、図２に示した構成に加えて、第４の送受信器１０４を含む。
【００６５】
第４の送受信器１０４は、第４の通信方式の信号を送受信する機器である。本実施例において、第４の通信方式は、高周波数帯域のＰＣＳ方式である。ＰＣＳ方式は、送信周波数帯域が１８５０ＭＨｚ〜１９１０ＭＨｚ、受信周波数帯域が１９３０ＭＨｚ〜１９９０ＭＨｚＭＨｚである。
【００６６】
図４に示したフロントエンドモジュール１は、図２に示した構成に加えて、位相遅延線２６１と、ＳＡＷフィルタ２６２とを含み、切換手段２０は第２の受信端２６を含む。位相遅延線２６１及びＳＡＷフィルタ２６２は、第２の受信端２６の前段に備えられている。
【００６７】
図４において、分波回路４０は、ノッチ回路９１、９２を含み、ノッチ回路９１、９２のそれぞれがアンテナ８に接続されている。
【００６８】
切換回路５０は、ノッチ回路９２に接続されており、端子Ｔ１５に供給される電圧により、第３の通信方式（ＧＳＭ方式）の受信信号を受信端５２から出力する状態と、第３の通信方式（ＧＳＭ方式）の送信信号を分波回路４０に出力する状態とを切換える。ローパスフィルタ５４は、第３の送受信器１０３で発生する高調波を除去する機能を有する。
【００６９】
図５において、切換手段２０は、ダイオードＤ２１、Ｄ２２、Ｄ２５、Ｄ２６と、位相遅延線Ｌ２１１、Ｌ２２１、Ｌ２５１、Ｌ２６１と、コイルＬ２１、Ｌ２２、Ｌ２５、Ｌ２６と、コンデンサＣ２１、Ｃ２２、Ｃ２５、Ｃ２６、Ｃ２５１、Ｃ２６１と、抵抗Ｒ２４と、端子Ｔ２１、Ｔ２２、Ｔ２６を含む。
【００７０】
図５に示した切換手段２０は、端子Ｔ２１に電圧が印加されたとき、ダイオードＤ２１、Ｄ２５のみが導通し、第１の通信方式（ＣＤＭＡ方式）の送信信号のみが第２の入出力端１２から出力される。端子Ｔ２２に電圧が印加されたとき、ダイオードＤ２２、Ｄ２５のみが導通し、第２の通信方式（ＤＣＳ方式）又は第４の通信方式（ＰＣＳ）の送信信号のみが第２の入出力端１２から出力される。
【００７１】
端子Ｔ２６に電圧が印加されたとき、ダイオードＤ２６、Ｄ２５のみが導通し、第４の通信方式（ＰＣＳ）の受信信号のみが第２の受信端２６から出力される。端子Ｔ２１、Ｔ２２、２６に電圧が印加されないとき、ダイオードＤ２１、Ｄ２２、Ｄ２５、Ｄ２６が非導通となり、第２の通信方式（ＤＣＳ方式）の受信信号のみが第２の受信端２５から出力される。
【００７２】
本実施例においては、第２の通信方式（ＤＣＳ方式）の送信信号、及び、第４の通信方式（ＰＣＳ）の送信信号を送信端２２から出力しているが、第２の通信方式（ＤＣＳ方式）及び第４の通信方式（ＰＣＳ）の送信信号は、別々の端子から出力してもよい。また、切替手段２０は、半導体スイッチ、例えば、ＧａＡｓスイッチ等を用いてもよい。ＧａＡｓスイッチとしてはＳＰ４Ｔ（Ｓｉｎｇｌｅ  Ｐｏｌｅ  ４
Ｔｈｒｏｕｇｈ）と称されるＭＭＩＣを用いることができる。
【００７３】
図３〜図５に示したフロントエンドモジュールは、図１〜図５を参照して説明したフロントエンドモジュールと同様の構成要件を含むので、同様の好ましい作用効果を奏することができる。
【００７４】
また、図３〜図５に示したフロントエンドモジュールにおいては、周波数帯域が隣接している第２の通信方式（ＤＣＳ方式）及び第４の通信方式（ＰＣＳ）の送信信号を送信端２２から出力している。このため、切換手段２０に必要な端子の数を低減し、回路素子を削減できるので、モジュールの小型化を図ることができる。
【００７５】
また、図３〜図５に示したフロントエンドモジュールは、分配部１０、コンデンサ１２１、バンドパスフィルタ１２２、２１２、位相遅延線２１１、２２１、２５１、２６１、ノッチ回路２２２、及び、ＳＡＷフィルタ２５２、２６２を備えている。このため、信号利得の劣化が少ない通過特性を得るとともに、十分なアイソレーションの確保が図れる。
【００７６】
また、図３〜図５に示したフロントエンドモジュールは、第４の送受信器１０４、及び、ＳＡＷフィルタ２６２を取外すことにより、トリプルバンドシステムに用いるフロントエンドモジュールが構成される。このため、トリプルバンドシステムと、クワッドハンドシステムとに兼用することが可能な、汎用性のある高機能なフロントエンドモジュールが実現される。
【００７７】
更に、図３〜図５に示したフロントエンドモジュールは、Ｗ−ＣＤＭＡ方式の送信信号と、ＰＣＳ方式の受信信号とは、切換手段２０で確実なアイソレーションが確保されている。このため、Ｗ−ＣＤＭＡ方式の送信周波数帯域１９２０ＭＨｚ〜１９８０ＭＨｚが、ＰＣＳ方式の受信周波数帯域１９３０ＭＨｚ〜１９９０ＭＨｚＭＨｚとオーバーラップする場合であっても、それぞれの信号を確実に処理することができる。
【００７８】
以上、好ましい実施例を参照して本実施例の内容を具体的に説明したが、本実施例の基本的技術思想及び教示に基づいて、当業者であれば、種々の変形態様を採り得ることは自明である。
【００７９】
【発明の効果】
以上述べたように、本発明によれば、次のような効果を得ることができる。
（Ａ）ＣＤＭＡ方式を含む２以上の通信方式に対応したフロントエンドモジュール、及び、無線機器を提供することができる。
（Ｂ）ＣＤＭＡ方式の受信信号を常時受信し得るフロントエンドモジュール、及び、無線機器を提供することができる。
【図面の簡単な説明】
【図１】本発明に係る無線機器を示すブロック図である。
【図２】図１に示した本発明に係る無線機器の一部を更に詳細に示すブロック図である。
【図３】本発明に係る無線機器の別の実施例を示すブロック図である。
【図４】図３に示した無線機器の電気回路図である。
【図５】図３に示した無線機器の別の電気回路図である。
【符号の説明】
８                アンテナ
１                フロントエンドモジュール
４０              分波回路
５０              切換回路
１０              分配部
１１              第１の入出力端
１２              第２の入出力端
１３              第１の受信端
２０              切換手段
【図１】
2004304471.tif 000003
【図２】
2004304471.tif 000004
【図３】
2004304471.tif 000005
【図４】
2004304471.tif 000006
【図５】
2004304471.tif 000007